(57)【特許請求の範囲】
【請求項１】
複数の加入者終端装置を複数の加入者線を介して交換機に接続し、前記複数の加入者線の少なくとも１つの加入者線に入力断が発生したり、送受信信号の誤り率が所定の誤り率より大になったとき、装置管理ネットワークへ警報信号を出力する加入者線端局装置において、
前記複数の加入者線の全ての加入者線に入力断が発生したとき、工事中等によって正常な運転状態でないと判定して前記警報信号の前記装置管理ネットワークへの出力を禁止する制御回路を含むことを特徴とする加入者線端局装置。
【請求項２】
交換機からの信号を終端する複数の交換機インターフェース部と、前記複数の交換機インターフェース部の出力信号を各加入者に割り振る多重分離部と、前記多重分離部と前記各加入者へ布線された各加入者線とのインターフェース機能及び前記各加入者線における入力断、受信信号誤り率劣化、及び送信信号誤り率劣化等の検出信号を抽出する機能を持つ加入者インターフェース部と、前記加入者インターフェース部からの検出信号を所定のフォーマットに変換する警報発生回路と、前記警報発生回路の警報信号を管理部門へ出力する出力インターフェース部を備えた加入者線端局装置において、
前記複数の交換機インターフェース部の全てで入力断の状態が検出されたとき、工事中等によって正常の運転状態でないことを判定して制御信号を出力する制御回路と、
前記制御回路から前記制御信号が出力されたとき、前記警報発生回路から前記警報信号が前記出力インターフェース部へ入力するのを抑止する警報抑止回路を設けたことを特徴とする加入者線端局装置。
【発明の詳細な説明】
【０００１】
【発明の属する技術分野】
本発明は、加入者線端局装置に関し、特に、交換機と各加入者終端装置の間に設けられ、加入者線の入力断、受信信号誤り率劣化、及び送信信号誤り率劣化を示す警報信号として装置管理ネットワークへ発する警報送出回路を備えた加入者線端局装置に関する。
【０００２】
【従来の技術】
図２は従来の加入者線端局装置を示す。
加入者線端局装置（ＳＬＴ）１は、交換機２と装置管理ネットワーク（装置管理ＮＷ）３、及び加入者終端装置４−１〜４−Ｎとの間に接続されている。装置管理ネットワーク３にはオペレーション（ＯｐＳ）部５が接続されている。オペレーション部５は、装置管理ネットワーク３に接続された複数の装置（図示せず）の管理を一括して行っている。
加入者線端局装置１は、交換機２に接続される交換機インターフェース部１１−１〜１１−Ｎ、この交換機インターフェース部１１−１〜１１−Ｎに接続された多重分離部１２、この多重分離部１２と加入者終端装置４−１〜４−Ｎの間に設けられた加入者インターフェース部１３、この加入者インターフェース部１３に接続された警報発生回路１４、この警報発生回路１４と装置管理ネットワーク３に接続された出力インターフェースとしてのオペレーション（ＯｐＳ）インターフェース部１６より構成される。警報発生回路１４には設定手段１５が接続されており、正常な運用状態か工事中の状態かを区別するための条件設定が、ハード的又はソフト的に行われる。
【０００３】
次に、図２の構成の動作について説明する。交換機２からの信号は、交換機インターフェース部１１−１〜１１−Ｎにより終端され、その出力信号は多重分離部１２へ送られる。多重分離部１２では各加入者への信号の割り振りが行われ、加入者線インターフェース部１３及び加入者線３０−１〜３０−Ｎを介して各加入者に設置されている加入者線終端装置４−１〜４−Ｎに送出する。
加入者インターフェース部１３は、図示しない複数の回路から構成されている。すなわち、加入者線３０−１〜３０−Ｎの入力断を判定する第１の回路、加入者線における伝送フレーム内のビットの誤りを計算し、予め決められたしきい値以下のときに受信信号誤り率劣化と判定する第２の回路、予め加入者線インターフェースの伝送フレーム上に加入者線終端装置側で検出した誤り率劣化の場合に変化させるビットをアサインしておきそれを検出する第３の回路を持ち、それぞれの検出結果及び判定結果は、加入者線３０−１〜３０−Ｎの入力断、受信信号誤り率劣化、及び送信信号誤り率劣化を示す警報信号として警報送出回路４へ送出される。
警報発生回路１４は、加入者線インターフェース部１３から送られてきた入力断、受信信号誤り率劣化、送信信号誤り率劣化等の警報を検出し、これを所定の発生フォ−マットに変換してオペレーションインターフェース部１６へ出力する。オペレーションインターフェース部１６は、加入者線インターフェース警報を装置管理ネットワーク３を介してオペレーション部５へ通知する。これを受けて、保守者や管理者は故障の切り分けを行う。
【０００４】
さらに、従来技術として、特開平５−１０３０４６号公報、特開平５−３４４１１９号公報があり、デジタル通信システムにおいて回線障害等の発生を警報する構成が提案されている。特開平５−１０３０４６号公報では、端末側で参照可能なアラーム抑止ビットを設定しておき、ネットワーク側に障害が発生したとき、前記アラーム抑止ビットに“１”を設定し、これをもって端末側が回線障害を検出しても外部に警報を出力しないようにしている。また、特開平５−３４４１１９号公報では、アラーム検出感度を回線状態に応じて変更できるようにし、デジタル多重化装置内で過剰なアラームが発生するのを防止している。これにより、障害箇所の特定を容易にしている。
【０００５】
【発明が解決しようとする課題】
しかし、従来の加入者線端局装置によると、初期導入時の試験時においては加入者線端局装置側のみによる単体試験を実施する場合も多く、その際、加入者線端局装置１には電源投入されているが交換機２には電源が投入されていないことがあり、交換機側とのインターフェースは断状態になっている。このような場合でも、加入者線終端装置の設置工事や試験により警報を発することがある。
このように、工事状態になっていながら、ネットワーク上の様々な装置の運用状態を管理するオペレーション部５に警報を通知することは、管理者に混乱を与えるため、従来、各装置に正常な運用状態か工事中の状態かを区別する設定を設定手段１５により設けて、警報の通知の可否を選択している。しかし、この設定作業は人為的な作業であるため、設定を忘れたり、設定解除を忘れたりするトラブルを発生することがあった。
また、特開平５−１０３０４６号公報、特開平５−３４４１１９号公報によると、加入者線端局装置を対象としていないし、工事中における警報処理も考慮されていないため、加入者線端局装置に適用することはできない。
【０００６】
したがって、本発明の目的は、設置工事や試験等の状態にあるとき、加入者線インターフェースからの警報が管理側に通知されるのを抑止することが可能な加入者線端局装置を提供することにある。
【０００７】
【課題を解決するための手段】
本発明は、上記の目的を達成するため、第１の特徴として、複数の加入者終端装置を複数の加入者線を介して交換機に接続し、前記複数の加入者線の少なくとも１つの加入者線に入力断が発生したり、送受信信号の誤り率が所定の誤り率より大になったとき、装置管理ネットワークへ警報信号を出力する加入者線端局装置において、前記複数の加入者線の全ての加入者線に入力断が発生したとき、工事中等によって正常な運転状態でないと判定して前記警報信号の前記装置管理ネットワークへの出力を禁止する制御回路を含むことを特徴とする加入者線端局装置を提供する。
【０００８】
この構成によれば、交換機の電源断等により、複数の加入者線の全ての加入者線に入力断が発生したとき、制御回路は工事中等であることを判定し、警報信号が装置管理ネットワークに出力されないようにすることができる。
【０００９】
また、本発明は、上記の目的を達成するため、第２の特徴として、交換機からの信号を終端する複数の交換機インターフェース部と、前記複数の交換機インターフェース部の出力信号を各加入者に割り振る多重分離部と、前記多重分離部と前記各加入者へ布線された各加入者線とのインターフェース機能及び前記各加入者線における入力断、受信信号誤り率劣化、及び送信信号誤り率劣化等の検出信号を抽出する機能を持つ加入者インターフェース部と、前記加入者インターフェース部からの検出信号を所定のフォーマットに変換する警報発生回路と、前記警報発生回路の警報信号を管理部門へ出力する出力インターフェース部を備えた加入者線端局装置において、前記複数の交換機インターフェース部の全てで入力断の状態が検出されたとき、工事中等によって正常の運転状態でないことを判定して制御信号を出力する制御回路と、前記制御回路から前記制御信号が出力されたとき、前記警報発生回路から前記警報信号が前記出力インターフェース部へ入力するのを抑止する警報抑止回路を設けたことを特徴とする加入者線端局装置を提供する。
【００１０】
この構成によれば、交換機の電源断等により交換機インターフェース部の全てで入力断が検出されたとき、制御回路は工事中等であることを判定して警報抑止回路を制御し、警報発生回路から出力される警報信号が出力インターフェース部へ出力されないようにすることができる。
【００１１】
したがって、上記第１，第２の特徴に示した本発明によれば、初期導入時の試験等において、加入者線端局装置が電源オンで対向交換機が電源オフというような工事中等の状態にあるとき、加入者線インターフェースからの警報を管理部門側に通知されるのを自動的に抑止することができる。この結果、従来必要であった工事中状態を示す設定が不要になり、設定忘れや設定解除忘れ等のトラブル発生を回避することができる。
【００１２】
【発明の実施の形態】
以下、本発明の実施の形態を図面に基づいて説明する。
図１は本発明の加入者線端局装置を示す。図１においては、加入者線端局装置（ＳＬＴ）１に接続される入力側及び出力側の構成は同一であるので、ここでは加入者線端局装置についてのみ説明する。更に、加入者線端局装置においても、図２に示したと同一であるものには同一引用数字を用いている。
本発明の加入者線端局装置１０は、交換機インターフェース部１１−１〜１１−Ｎ、多重分離部１２、加入者インターフェース部１３、警報発生回路１４に準じた構成の警報発生回路１９、オペレーションインターフェース部１６内の図２に示した各部材のほか、制御回路１７及び警報抑止回路１８を備えて構成されている。制御回路１７は交換機インターフェース部１１−１〜１１−Ｎのそれぞれに接続され、その出力信号としての制御信号２０は警報抑止回路１８に送られる。警報抑止回路１８は、警報発生回路１９からの警報信号２１を制御回路１７の制御信号２０に応じて、オペレーションインターフェース部１６への加入者線インターフェース警報信号２１の出力の可否を決定する。警報発生回路１９は、設定手段１５による工事中状態の設定を行えない構成にしているが、他の構成は警報発生回路１４と同様である。
【００１３】
次に、図１の構成の加入者線端局装置の動作について説明する。
交換機２から加入者宅への伝送において、交換機２から送出された信号は、加入者線端局装置１０の交換機インターフェース部１１−１〜１１−Ｎで終端される。交換機インターフェース部１１−１〜１１−Ｎの出力に対し、多重分離部１２は各加入者毎の信号に割り振りを行い、加入者インターフェース部１３を介して各加入者に設置された加入者終端装置４−１〜４−Ｎへ送出する。加入者インターフェース部１３では、加入者線３０−１〜３０−Ｎの入力断、受信信号誤り率劣化、及び送信信号誤り率劣化の検出情報１３ａを警報送出回路１４へ送出する。警報発生回路１９は加入者インターフェース部１３からの検出情報１３ａを所定の信号ファーマットに変換し、これを警報情報２１として警報抑止回路５を介してオペレーションインターフェース部１６から装置管理ネットワーク３へ送出し、装置管理ネットワーク３を介してオペレーション部５に通知する。
一方、制御回路１７には交換機インターフェース部１１−１〜１１−Ｎで検出された交換機インターフェース部１１−１〜１１−Ｎ上の入力断情報が入力されており、交換機インターフェース部１１−１〜１１−Ｎの全てが“入力断”の場合、工事中と判断し、制御信号２０を警報抑止回路１８へ送出する。警報抑止回路１８は警報発生回路１９からの警報情報２１を抑止し、オペレーションインターフェース部１６に送られないようにし、オペレーション部５に警報が送られるのを阻止する。この結果、従来必要とした工事中状態の設定が不要になり、設定忘れや設定解除忘れ等のトラブル発生を回避することが可能になる。
【００１４】
【発明の効果】
以上説明した通り、本発明の加入者線端局装置によれば、交換機の電源断等により加入者線の全てに対して入力断状態が検出されたとき、制御回路は正常な運転状態にない工事中等を判定し、警報信号が外部に出力されないようにしたので、工事等の状態において加入者線インターフェースから外部へ警報が出されるのを自動的に抑止することができる。
【図面の簡単な説明】
【図１】本発明の加入者線端局装置を示すブロック図である。
【図２】従来の加入者線端局装置を示すブロック図である。
【符号の説明】
２  交換機
３  装置管理ネットワーク
４−１〜４−Ｎ  加入者終端装置
５  オペレーション部
１０  加入者線端局装置
１１−１〜１１−Ｎ  交換機インターフェース部
１２  多重分離部
１３  加入者インターフェース部
１３ａ  検出情報
１４  警報発生回路
１６  オペレーションインターフェース部
１７  制御回路
１８  警報抑止回路
１９  警報発生回路
２０  制御信号
２１  警報信号
３０−１〜３０−Ｎ  加入者線
【図１】
0003593956.tif 000002
【図２】
0003593956.tif 000003